(57)【要約】電気泳動ディスプレイ（ＥＰＤ）等の反射型ディスプレイと、バックライト液晶ディスプレイ等の放射型ディスプレイを、融合されたディスプレイを形成するように組み合わせることができる。この組み合わせは、反射型と放射型ディスプレイの要素とを交互にして、ディスプレイを互い違いに積層させるか、または、反射型と放射型とのディスプレイ要素を互いに散在させることを含むことがある。融合されたディスプレイ上の画像を、リフレッシュ速度、電力消費、色彩および／または動画の存在等の要因によって、反射型または放射モードあるいはその２つの組み合わせを用いて表示することができる。
2013502616.tif 000002
【特許請求の範囲】
【請求項１】
第１の制御モジュールによって駆動され、かつ、第１の種類のコンテンツをレンダリングし、パススルー状態を維持するように構成される、電気泳動ディスプレイ（ＥＰＤ）と、
第２の異なる制御モジュールによって駆動され、かつ、前記ＥＰＤの後面に配置される放射型ディスプレイであって、前記放射型ディスプレイは、第２の種類のコンテンツをレンダリングするために、前記パススルー状態で、前記ＥＰＤを通して光を放射するように構成される、放射型ディスプレイと、
を備えることを特徴とする融合されたディスプレイデバイス。
【請求項２】
前記ＥＰＤは、前記ＥＰＤの全てまたは全て未満について、前記パススルー状態を維持するように構成されることを特徴とする請求項１に記載の融合されたディスプレイデバイス。
【請求項３】
前記ＥＰＤは、前記ＥＰＤディスプレイの要素のうちの少なくとも１つの側に粒子を配置することにより、前記パススルー状態に入るようにさらに構成されることを特徴とする請求項１に記載の融合されたディスプレイデバイス。
【請求項４】
前記融合されたディスプレイ上にコンテンツをレンダリングするように構成される反射型ディスプレイと、前記融合されたディスプレイ上にコンテンツをレンダリングするように構成される放射型ディスプレイと、を含む融合されたディスプレイと、
前記融合されたディスプレイ上に前記それぞれのコンテンツをレンダリングするように、前記反射型ディスプレイと前記放射型ディスプレイとの両方を駆動するように構成される制御モジュールと、
を備えることを特徴とするデバイス。
【請求項５】
前記反射型ディスプレイは、前記放射型ディスプレイの上に存在することを特徴とする請求項４に記載のデバイス。
【請求項６】
互い違いに積層された反射型ディスプレイと放射型ディスプレイとを備え、前記反射型ディスプレイと前記放射型ディスプレイとの両方は、前記融合されたディスプレイ上にコンテンツをレンダリングするように構成される融合されたディスプレイ、
を備えることを特徴とするデバイス。
【請求項７】
前記融合されたディスプレイは、反射型ディスプレイ要素または放射型ディスプレイ要素によって、コンテンツをレンダリングするように構成されることを特徴とする請求項６に記載のデバイス。
【請求項８】
前記放射型ディスプレイは、前記融合されたディスプレイ上にコンテンツをレンダリングする際に、前記反射型ディスプレイを通して光を放射することを特徴とする請求項６に記載のデバイス。
【請求項９】
前記反射型ディスプレイは、電気泳動ディスプレイ（ＥＰＤ）、コレステリック液晶ディスプレイ、微小電気機械システム（ＭＥＭＳ）ディスプレイ、エレクトロウェッティングディスプレイ、または電気流体ディスプレイを備えることを特徴とする請求項６に記載のデバイス。
【請求項１０】
前記放射型ディスプレイは、発光ダイオード（ＬＥＤ）ディスプレイ、有機ＬＥＤ（ＯＬＥＤ）ディスプレイ、バックライト液晶ディスプレイ（ＬＣＤ）、プラズマディスプレイ、微小電気機械システム（ＭＥＭＳ）ディスプレイ、電子発光ディスプレイ、量子ドットディスプレイ、または電界放出ディスプレイを備えることを特徴とする請求項６に記載のデバイス。
【請求項１１】
プロセッサによって実行される際に、前記プロセッサに、
前記放射型ディスプレイの使用により、放射型ディスプレイと反射型ディスプレイとを含む融合されたディスプレイデバイス上で第１のコンテンツ部分をレンダリングすることと、
前記反射型ディスプレイの使用により、前記融合されたディスプレイデバイス上で第２のコンテンツ部分をレンダリングすることと、
を含む行為を実行させる命令を格納することを特徴とする１つ以上のコンピュータ可読格納媒体。
【請求項１２】
前記第１のコンテンツ部分は、色彩画像または動画を含み、前記第２のコンテンツ部分は、テキストの一部を含むことを特徴とする請求項１１に記載の１つ以上のコンピュータ可読媒体。
【請求項１３】
前記反射型ディスプレイは、前記融合されたディスプレイデバイス内の前記放射型ディスプレイ上に存在し、前記放射型ディスプレイの使用によって前記第１のコンテンツ部分を前記レンダリングすることは、
前記反射型ディスプレイの少なくとも一部をパススルー状態に入らせることと、
前記第１のコンテンツ部分をレンダリングするように、前記放射型ディスプレイから、前記反射型ディスプレイの前記一部を通して、前記パススルー状態で、光を放射することと、
を含むことを特徴とする請求項１１に記載の１つ以上のコンピュータ可読媒体。
【請求項１４】
前記反射型ディスプレイは、前記ＥＰＤのそれぞれの要素内の粒子を移動させることで、前記第２のコンテンツ部分をレンダリングする電気泳動ディスプレイ（ＥＰＤ）を備え、前記反射型ディスプレイの前記一部を前記パススルー状態に入らせることは、前記要素の１つ以上の側へ、前記一部内のそれぞれの要素内の粒子を移動させることを含むことを特徴とする請求項１３に記載の方法。
【発明の詳細な説明】
【技術分野】
【０００１】
本発明は、異種ディスプレイデバイスを含む融合されたディスプレイに関する。
【背景技術】
【０００２】
電子ディスプレイは、電子書籍リーダー（「ｅブックリーダー」）、携帯電話、個人情報端末（ＰＤＡ）、携帯メディアプレイヤー、タブレットコンピュータ、ネットブック、デスクトップコンピュータ、テレビ等の電子デバイスで見られる。これらのデバイスの電子ディスプレイは、本および映画等の情報、動作状態、およびコンテンツ項目を、視聴者に対して表示する。
【発明の概要】
【発明が解決しようとする課題】
【０００３】
従来の電子ディスプレイは、放射型または反射型のいずれかである。電気泳動ディスプレイ（ＥＰＤ）等のいくつかの反射型ディスプレイは、「紙上のインク」と同様の視覚的効果を提供する。これらは、主に、それらの表面に当たる光に対するその反射を変化させることで動作するため、「反射型」と称される。反射型ディスプレイは、典型的には、画像の形成後にほとんどまたはまったく電力を必要としないため、携帯アプリケーション、ｅブックリーダー等の、バッテリ電池に限りがある場合において有用である。反射型ディスプレイは、さらに、太陽光等の明るい条件において良好な視覚性を提供する。残念ながら、反射型ディスプレイは、典型的にはリフレッシュ速度が遅く、暗い条件でも利用できるように、特別な前面または側面のライトを必要とし、場合によっては、色彩をレンダリングしない。
【０００４】
反射型ディスプレイに対して、放射型ディスプレイは、それ自体の光を生じさせる。放射型ディスプレイは、より高速なリフレッシュ速度および色彩出力を可能にし得るが、放射型ディスプレイは、太陽光等の明るい光において不鮮明になり、見えにくくなることがある。
【課題を解決するための手段】
【０００５】
電気泳動ディスプレイ（ＥＰＤ）等の反射型ディスプレイ、および有機発光ダイオード（ＯＬＥＤ）ディスプレイ等の放射型ディスプレイを、融合されたディスプレイを形成するように組み合わせることができる。この組み合わせは、あるディスプレイをもう一方のディスプレイの上に積層することを含むことがあり、そのため、各ディスプレイの要素はほぼ同一線上にあり、反射型および放射型ディスプレイ要素が交互に配置されているか、または、反射型と放射型ディスプレイ要素が互いに散在している。融合されたディスプレイ上の画像を、反射型または放射モードあるいはその２つの組み合わせを用いて、リフレッシュ速度、電力消費、色の存在、動画の存在等の要因によって、表示することができる。
【０００６】
例えば、ｅブック等の携帯型電子デバイスは、テキストをレンダリングするために反射モードを提供するために、反射型ディスプレイを使用し得る。この反射モードは、最小限の電力を使用し、デバイスのバッテリ寿命を長持ちさせることに役立つ一方で、「紙上のインク」と同様の視覚的経験を視聴者に提供する。ユーザが色彩写真、フルモーション動画クリップ、またはその他のコンテンツ等のコンテンツを視聴したいと思う場合、一方で、ディスプレイの全てまたは一部を、放射型ディスプレイによって提供される放射モードに移行させることができる。放射型ディスプレイは、次いで、写真またはフルモーションの動画クリップ等のコンテンツをレンダリングする。
【図面の簡単な説明】
【０００７】
添付の図面を参照して、詳細に説明する。図において、参照番号の最も左端の桁は、その参照番号が最初に現れる図を示す。異なる図における同じ参照番号の利用は、同様または同一の項目を示す。
【０００８】
【図１】融合されたディスプレイを使用する例示的な環境を示す。
【図２Ａ】放射型ディスプレイの上に反射型ディスプレイを含む、例示的な融合されたディスプレイを示す概略図である。
【図２Ｂ】放射型ディスプレイの上に反射型ディスプレイを含む、例示的な融合されたディスプレイを示す概略図である。
【図３Ａ】放射型ディスプレイの上に反射型ディスプレイを含む、例示的な融合されたディスプレイを示す概略図である。
【図３Ｂ】放射型ディスプレイの上に反射型ディスプレイを含む、例示的な融合されたディスプレイを示す概略図である。
【図４】例示的な融合されたディスプレイおよび反射型ディスプレイドライバモジュール、放射型ディスプレイドライバモジュール、および融合されたディスプレイ制御モジュールを示す概略図である。
【図５Ａ】実質的に同じ面である放射型ディスプレイ要素を散在させる（ｉｎｔｅｒｓｐｅｒｓｅｄ）反射型ディスプレイ要素を含む、例示的な融合されたディスプレイを示す概略図である。
【図５Ｂ】実質的に同じ面である放射型ディスプレイ要素を散在させる（ｉｎｔｅｒｓｐｅｒｓｅｄ）反射型ディスプレイ要素を含む、例示的な融合されたディスプレイを示す概略図である。
【図６Ａ】ある面に放射型ディスプレイ要素があり、別の面に反射型ディスプレイ要素が散在される、例示的な融合されたディスプレイを示す概略図である。
【図６Ｂ】ある面に放射型ディスプレイ要素があり、別の面に反射型ディスプレイ要素が散在される、例示的な融合されたディスプレイを示す概略図である。
【図７Ａ】放射型有機発光ダイオード（ＯＬＥＤ）ディスプレイの上に反射型電気泳動（ＥＰＤ）ディスプレイを含む例示的な融合されたディスプレイを示す概略図である。が散在される、例示的な融合されたディスプレイを示す概略図である。
【図７Ｂ】放射型有機発光ダイオード（ＯＬＥＤ）ディスプレイの上に反射型電気泳動（ＥＰＤ）ディスプレイを含む例示的な融合されたディスプレイを示す概略図である。
【図８Ａ】反射型電気泳動（ＥＰＤ）ディスプレイの上に透明な放射型有機発光ダイオード（ＯＬＥＤ）ディスプレイを含む、例示的な融合されたディスプレイを示す概略図である。
【図８Ｂ】反射型電気泳動（ＥＰＤ）ディスプレイの上に透明な放射型有機発光ダイオード（ＯＬＥＤ）ディスプレイを含む、例示的な融合されたディスプレイを示す概略図である。
【図９】動作時における、放射型の上に反射型が融合されたディスプレイの例示的なプロセスの流れ図である。
【発明を実施するための形態】
【０００９】
例示的な環境
図１は、異種ディスプレイデバイスで構成される融合されたディスプレイを使用するための例示的な環境１００を示す。環境１００において、ｅブックリーダー、携帯メディアプレイヤー、ラップトップ、デスクトップコンピュータのディスプレイ等のデバイス１０２は、画像を生成する融合されたディスプレイ１０４を有する。この画像は、視覚的にレンダリングおよび消費できるテキスト情報、写真、動画、および／またはいずれか他のコンテンツを再現し得る。融合されたディスプレイ１０４、またはディスプレイの一部は、反射モード１０６、放射モード１０８で、またはいくつかの例では、同時に両方のモードで動作することができる。反射モード１０６の間、ディスプレイの要素は、少なくとも２つの状態、つまり非反射型状態および反射型状態を示すことができる。反射型状態において、テーブルランプまたはいずれかの他の光（例えば太陽光）等の光源１１０から放射される光は、暗いまたは黒いスポットをレンダリングするように、パススルーまたは暗い状態で、反射型ディスプレイ要素によって吸収され得る（「Ａ」）。逆に、光源１１０からの光は、反射型ディスプレイ要素が反射型状態にある場合に、表面から、実質的に視聴者１１２に向けて反射され得る（「Ｒ」）。
【００１０】
さらに、融合されたディスプレイ１０４の全てまたは一部は、放射モード１０８で動作することができる。放射モード１０８では、画素要素は、ディスプレイ１０４から発される独自の光（「Ｅ）」を発生させ、実質的に視聴者に向けて方向付けられる。画素要素（または「画素」）は、発光ダイオード、液晶およびバックライト等の組み合わせ等の光子を放射する要素を含むことがある。例えば、放射型ディスプレイは、電流を通過する際に光子を放射する回路要素を備える発光ダイオードを提供することができる。概して、放射型技術は、光子を発生させるために電気エネルギーを利用する。
【００１１】
後述するように、ディスプレイ全体の一部は、コンテンツを消費するために視聴者１１２がデバイス１０２を動作する間に、反射モード１０６および放射モード１０８の間を移行することができる。例えば、視聴者１１２が、融合されたディスプレイ１０４において、アイザック・ニュートンによる自宅の修繕についてのｅブックを視聴していることを想定されたい。この例において、最小限の電力を消費しながら、「紙上のインク」経験との強い視覚的な類似性を提供するため、デバイス１０２は、ディスプレイ上でのテキストの表示時に反射モード１０６を使用することができる。この例におけるｅブックの一部として、視聴者１１２に対し、木の床をどのように補修するかを示す動画クリップのプロンプトが表示される。動画クリップのプロンプトを、最初は、反射モード１０６の利用によって提供することができる。動画クリップを視聴するためのプロンプトの選択時において、デバイス１０２は、反射モード１０６から放射モード１０８へ、融合されたディスプレイ１０４（破線によりこの図に示される）の一部を移行させることができる。デバイス１０２は、次いで、フルモーション動画および色彩の表示を可能にすることができる、放射モード１０８を使用して動画クリップを表示する。動画クリップの完了時、融合されたディスプレイ１０４の一部は、反射モード１０６に戻ることができる。代替の実施形態において、動画クリップのプロンプトを、最初に、表示された動画クリップのより良い視覚化または色彩を提供するように、放射モード１０８を使用して提供することができる。
【００１２】
反射モード１０６または放射モード１０８であってもよい、融合されたディスプレイ１０４の一部のサイズおよび位置は、様々であってもよい。例えば、視聴者１１２が動画クリップのフルスクリーン表示を選択する場合、融合されたディスプレイ１０４は、主にまたは全体的に放射モード１０８であり、反射モード１０６の部分は少しまたはまったくなくてもよい。他の例において、ディスプレイ１０４の一部は、放射モード１０８でコンテンツをレンダリングしながら、反射モード１０６で追加のコンテンツをレンダリングすることができる。例えば、視聴者１１２は、色彩画像または動画の同時のディスプレイをさらに含む、テキストを含む記事を読むことができる。ここで、ディスプレイ１０４は、図１で図示するように、および上記のように、反射モード１０６の使用によってテキストをレンダリングしながら、放射モード１０８で色彩画像または動画を同時にレンダリングすることができる。
【００１３】
例示的な構成および動作
図２ＡおよびＢは、放射型ディスプレイ上に反射型ディスプレイを含む、例示的な融合されたディスプレイを図示する概略図２００である。この図および以下の図において、画素の生成に使用されるディスプレイ要素（「要素」）は、互いにおよそ同じサイズであるものとして示される。しかしながら、いくつかの実施形態において、これらのディスプレイ要素は、ディスプレイタイプの間で、または同じ種類のディスプレイ内で、サイズが変動することがある。例えば、反射型ディスプレイ要素は放射型ディスプレイ要素よりも大きくてもよく、またはその逆でもよい。
【００１４】
図２Ａは、ディスプレイをまっすぐ見下ろす視聴者１１２の視点からの、一連の６つの要素の上面図２０２を示す。左から右へ、要素は、光を、吸収、反射、反射、放射、放射、および放射するように構成される。ライン「Ｃ」に沿ったこれらの６つの要素の断面図は、図２Ｂの２０４において示される。
【００１５】
図２Ｂの断面図２０４は、融合されたディスプレイは、異種ディスプレイタイプの組み合わせを備えることを示す。この例では、断面図２０４は、融合されたディスプレイが、放射型ディスプレイ要素を含む放射型ディスプレイ２０６層を含むことを示す。放射型ディスプレイ２０６は、光を生成し、視聴者１１２に向けて上方に光を放射することにより、画像を生成する。例示的な放射型ディスプレイとしては、発光ダイオード（ＬＥＤ）ディスプレイ、有機ＬＥＤディスプレイ、バックライト液晶ディスプレイ（ＬＣＤ）、プラズマディスプレイ、微小電気機械システム（ＭＥＭＳ）ディスプレイ、電子発光ディスプレイ、量子ドットディスプレイ、電界放出ディスプレイ等が挙げられるが、これらに制限されない。
【００１６】
所与の時点において、放射型ディスプレイ２０６の要素は、活性または不活性状態のいずれかで存在することがある。活性状態２０８で存在する放射要素は光を発し、一方で、不活性状態２１０で存在する放射要素は光を発しない。図２Ａおよび２Ｂ、さらに、以下の図において、角度の付けられたクロスハッチ（ｃｒｏｓｓｈａｔｃｈ）は活性状態２０８の放射要素を示し、影部分は不活性状態２１０の放射要素を示す。
【００１７】
「Ｅ」で示され、放射要素において発せられる矢印は、活性状態の放射要素による光の放射を示す。放射型ディスプレイ２０６から放射される光「Ｅ」は、透明な層２１２および、発せられる光が、視聴者１１２による消費のためにそれぞれの要素を通過することを可能にするように構成される反射型ディスプレイ２１４の要素を、通過することができる。いくつかの実施形態では、層２１２は、半透明であってもよい。透明な層２１２は、放射型ディスプレイ２０６、反射型ディスプレイ２１４、または両方の回路の一部を含むことがある。反射要素を通る放射された光の通過は、以下により詳細に記載される。
【００１８】
図示されるように、反射型ディスプレイ２１４は、反射型ディスプレイ要素を備える。反射型ディスプレイは、ランプ、太陽光等の他の光源１１０からの入射光を反射することにより、画像を生成する。例示的な反射型ディスプレイとしては、電気泳動ディスプレイ（ＥＰＤ）、コレステリック液晶ディスプレイ、微小電気機械システム（ＭＥＭＳ）ディスプレイ、エレクトロウェッティングディスプレイ、電気流体ディスプレイ等が挙げられるが、これらに制限されない。
【００１９】
反射型ディスプレイ２１４は、反射状態または非反射パススルー状態で動作するように、その要素を構成することができる。説明の簡潔性のために、かつ制限を目的とせず、反射型ディスプレイ２１４は、反射およびパススルー状態のみを有するものとして考察されている。いくつかの実施形態において、白および黒の間の値を有する画素を生成するように使用されるもの等の、追加の非反射および／または非パススルー状態を使用することができる。
【００２０】
反射型ディスプレイ２１４は、反射型状態２１６で動作するように、１つ以上の要素を構成することができる。反射型状態において、入射光「Ｒ」は、概して、視聴者に向けて、反射型ディスプレイ要素から反射し、上面図２０２に示されるように、白い（暗くない）またはより明るく見える画素であるように見える。
【００２１】
融合されたディスプレイが、放射型ディスプレイ２０６上に反射型ディスプレイ２１４を有する図２Ｂに示されるように構成される場合、放射型ディスプレイ２０６からの光を、デバイスが反射状態２１６にある間、視聴者１１２へと、反射型ディスプレイ２１４を通過することを防止することができる。このため、デバイスは、放射型ディスプレイがレンダリングするいずれかのコンテンツではなく反射型ディスプレイがレンダリングするコンテンツを表示することができる。
【００２２】
さらに、反射型ディスプレイ２１４は、光がそれぞれの反射型ディスプレイ要素を通過することができるように、パススルー状態２１８で動作するために１つ以上の反射要素を構成することができる。例えば、および図２ＡおよびＢに示されるように、放射型ディスプレイ２０６が反射型ディスプレイ２１４の下の要素から放射する光「Ｅ」は、パススルー状態２１８の反射型ディスプレイ要素を通過することができる。同様に、光源１１０からの入射光「Ａ」は、不活性の「暗い」状態２１０である、以下の反射型ディスプレイ要素または放射型ディスプレイ要素によって吸収されるパススルー状態である反射型ディスプレイ要素を通過することができる。このため、この吸収は「Ａ」で上面図２０２に示されるように、暗い画素を作成する。図２Ａおよび２Ｂ、さらに、以下の図において、垂直のハッチングは、パススルー状態の反射要素を示す。反射型ディスプレイの全てまたは一部がパススルー状態である例において、デバイスは、パススルー状態が提供する空の空間に光を放射することにより、放射型ディスプレイがレンダリングするコンテンツを表示することができる。
【００２３】
この概略図では、放射型ディスプレイ要素および反射型ディスプレイ要素は、同一線上で、互い違いに積層されて構成される状態で示されている。しかしながら、他の実施形態では、２つのディスプレイの要素はそのように整列しないことがある。例えば、要素は、放射要素が反射要素よりも大きいか、またはその逆である場合のように、整列していないことがある。さらに、および図５Ｂを参照して後述されるように、これらのディスプレイ要素は、図２Ｂに記載され、上記に記載されるように、複数の面に積層されるのではなく、単一の面に存在することがある。
【００２４】
図１の例に戻り、デバイス１０２がレンダリングする動画クリップが、再生を開始したことを想定されたい。放射モード１０８で指定された融合されたディスプレイ１０４の領域内において、反射型ディスプレイ２１４の要素は、パススルー状態２１８に入るように構成される。放射型ディスプレイ２０６の要素は、活性２０８であってもよく、かつ、反射型ディスプレイを通過し、視聴者１１２に対して動画画像を作成する光を発することができる。このため、デバイス１０２は、さらに、放射モード１０８を使用して動画画像をレンダリングしながら、電力効率が良く読み込みが容易な反射モード１０６において、視聴者１１２に対してコンテンツの大部分をレンダリングすることができる。
【００２５】
上記の例は、２つの層を含む融合されたディスプレイを示し、記載しているが、他の実施形態は、ディスプレイデバイスの３つ以上の層を使用することができる。例えば、融合されたディスプレイは、放射型プラズマディスプレイの上に放射型の透明なＯＬＥＤディスプレイを有する層構造の、反射型ＥＰＤディスプレイを含むことがある。あるいは、他の実施形態は、いずれか他の数のディスプレイデバイスのいずれか他の組み合わせを使用することができる。
【００２６】
図３Ａおよび３Ｂは、反射型ディスプレイ上に放射型ディスプレイを含む融合されたディスプレイを示す、概略図３００である。この実施形態では、放射型ディスプレイ２１４は、入射光が達する、かつ、（要素状態が示すように）その下の反射型ディスプレイ２０６によって方向付けられることを可能にする、透明または半透明のディスプレイ（透明または半透明の要素を含む）を含む。いくつかの実施形態では、放射型ディスプレイ２１４は、透明または半透明の一部、さらに不透明な部分を含むことがある。かかる実施形態において、不透明な部分を、入射または放射される光による望ましくない干渉を最小限にするように構成することができる。
【００２７】
概して、上層が作成する画像は、視聴者１１２の目に対する直接の光学的経路により、最もシャープになる。一方で、下層は、上層を通る追加の光の移動のために、いくらか、わずかに劣化し得る。図２Ｂおよび３Ｂが示す構成等の積層構成において、反射型ディスプレイ２０６の上部または下部に放射型ディスプレイ２１４を配置するかどうかの選択を、ディスプレイの予想される主な利用法によって決定することができる。例えば、デバイスが主にテキストの表示に使用される例において、反射型ディスプレイを、図２Ｂに示されるように、上層に配置することができる。一方で、携帯型メディアプレイヤー等のデバイスが、主に、放射型ディスプレイにより適している動画を表示するように使用される例において、放射型ディスプレイを、ここでは図３Ｂに示されるように、上層に配置することができる。
【００２８】
図４は、異種ディスプレイを駆動するように使用される融合されたディスプレイおよびモジュールを示す、概略図４００である。放射型ディスプレイドライバモジュール４０２は、放射型ディスプレイ２０６へ、導電体等により、動作可能に結合することができる。放射型ディスプレイドライバモジュール４０２は、放射型ディスプレイ２１４内の要素の状態を操作するように構成される。例えば、反射型ディスプレイドライバモジュール４０２は、点灯した画素を作成するために、不活性状態から活性状態へ、およびその逆に、放射要素を変化させることができる。
【００２９】
次に、反射型ディスプレイドライバモジュール４０４は、導電体等により、反射型ディスプレイ２１４へ動作可能に結合することができる。反射型ディスプレイドライバモジュール４０４は、反射型ディスプレイ２１４内の要素の状態を操作するように構成される。例えば、反射型ディスプレイドライバモジュール４０４は、パススルー状態２１８から反射状態２１６へ反射要素を変化させ、このため、他の光源１１０から入射光によって見る場合に、明るい画素を作成することができる。さらに、反射型ディスプレイドライバモジュール４０４は、反射型状態２１６からパススルー状態２１８へ、反射要素を変化させることができる。
【００３０】
放射型ディスプレイドライバモジュール４０２および反射型ディスプレイドライバモジュール４０４は、２つのディスプレイの動作を連携することができる、融合されたディスプレイ制御モジュール４０６へ結合することができる。例えば、図１の動画クリップを表示するために、放射モード１０８のための融合されたディスプレイ１０４の一部を構成する場合、融合されたディスプレイ制御モジュール４０６は、スクリーンの指定された一部についてパススルーモードに反射要素を設定するために、反射型ディスプレイドライバモジュール４０４へ、スクリーン座標を提供することができる。さらに、融合されたディスプレイ制御モジュール４０６は、指定された一部内の要素を活性化するように放射型ディスプレイドライバモジュール４０２に命令し、それにより放射型ディスプレイに動画クリップをレンダリングさせることもできる。
【００３１】
代替の実施形態において、シングルドライバモジュールを、両方のディスプレイタイプを制御するように使用することができる。例えば、シングルドライバモジュールは、あるいは、反射型ディスプレイの要素および放射型ディスプレイの要素を駆動することができる。逆に、シングルドライバモジュールは、同時に、反射型ディスプレイの要素および放射型ディスプレイの要素を駆動することができる。
同一平面上および積層による交互の構成
【００３２】
図２〜３に示される反射型および放射型ディスプレイ要素の積層による同一線上の構成に対して、反射型および放射型ディスプレイ要素を、いくつかの例において、実質的に同じ面に配置することができる。図５Ａおよび５Ｂは、かかる構成において放射型ディスプレイ要素が散在される反射型ディスプレイ要素を含む、例示的な融合されたディスプレイを示す概略図５００である。
【００３３】
図５Ａは、放射要素および反射要素が交互に繰り返す、ディスプレイ要素の格子板構成を示す上面図５０２である。図５Ｂに示される５０４においてライン「Ｃ」に沿った断面図は、放射要素および反射要素が実質的に同じ面に存在する構成を示す。説明の便宜上のため、および、制限を目的とするものではないが、図５Ａおよび５Ｂは、およそ同じ寸法を有する反射型ディスプレイ要素および放射型ディスプレイ要素を示す。しかしながら、他の実施形態では、これらのディスプレイ要素はサイズが変動することがある。例えば、反射要素は、放射要素よりもより狭い、より高い、より幅が広い等であってもよい。さらに、この実施形態では、反射型および放射型ディスプレイ要素の両方は、活性であってもよく、同時に、反射型および放射型ディスプレイの両方による相互のレンダリングを可能にする。
【００３４】
図６Ａおよび６Ｂは、１つの面において反射型ディスプレイ要素を含み、別の面において放射型ディスプレイ要素を散在させる、例示的な融合されたディスプレイを示す概略図６００である。図６Ａは、図５Ａについて上述されるのと同様の格子板構成の画素の上面図６０２を示す。しかしながら、図６Ｂは、ライン「Ｃ」に沿った断面図６０４を示し、これは、積層された２層設計が、上方への、および視聴者がレンダリングされるコンテンツを消費する際の視聴者１１２の潜在的な位置に向けた、暗くされていない経路を各ディスプレイ要素に提供するために、異種要素のオフセットにより、どのように構成されるかを示す。この例では、反射型ディスプレイ２１４は、放射型ディスプレイ２０６が存在する面の上の面に存在する。このため、より低い放射型ディスプレイ２０６から放射される光（「Ｅ」）は、反射型ディスプレイ２１４要素を通過しないが、この実施形態では、パススルーチャネル６０６を通る。同様に、各反射型ディスプレイ要素の下に、空洞６０８または他の構造があってもよい。
【００３５】
上述のように、最上層の反射型ディスプレイまたは放射型の配置を、パフォーマンスおよび動作上の考慮点によって決定することができる。例えば、下層は、下層に対する上層の明瞭さを考慮して、より狭い視野を示し得る、または上層と比較するとより少ない入射光を受けることがある。このため、主要なアプリケーションがテキストデータを表示しているｅブックリーダーの用途において、反射型ディスプレイは、ここに示すように、上層に存在することがある。一方で、主要なアプリケーションが動画または色彩画像をレンダリングしていることがある、携帯型メディアプレイヤーの例において、放射型ディスプレイは上層に存在することがある。
ＥＰＤおよびＯＬＥＤを使用する融合されたディスプレイ
【００３６】
図７Ａおよび７Ｂは、ここでは有機発光ダイオード（ＯＬＥＤ）ディスプレイとして示される、放射型ディスプレイ上に反射型電気泳動（ＥＰＤ）ディスプレイを含む、融合されたディスプレイを示す概略図７００である。ＥＰＤは、明るいおよび暗いスポットを形成するために、小さい粒子を移動させるための電荷を使用する。ＯＬＥＤディスプレイは、電気を光に変換させる。図７Ａおよび７ＢはＥＰＤディスプレイおよびＯＬＥＤディスプレイを示すが、他の実施形態は、いずれかの他の種類の反射型および放射型ディスプレイを使用することができる。
【００３７】
この実施形態では、ＥＰＤは、電荷を使って操作することができる白い粒子を使用する。他の実施形態では、粒子は、他の色または色の組み合わせであってもよい。上面図７０２に示されるように、粒子は、入射光が「Ａ」に入り、吸収されることを可能にし、放射された光「Ｅ」を逃がすことを可能にするように、各要素の周辺の周りに配置されている。いくつかのＥＰＤ実施形態では、粒子の構成を、粒子上の電荷と相互作用する、要素内の電圧を使用して開始することができる。
【００３８】
他のＥＰＤ実施形態では、粒子を、これらが実質的に暗くされていない経路を提供するように、単一の壁、２つの壁、３つの壁、格納場所等に配置することができる。ＥＰＤ要素が反射状態である場合、視聴者１１２に対して白い（暗くない）またはより明るく見える画素を生成するように、入射光「Ｒ」を反射する要素上に向けて、粒子がクラスタ状になる（ｃｌｕｓｔｅｒ）。
【００３９】
ライン「Ｃ」に沿った断面図７０４は、放射される光の通過を提供する、または入射光の吸収を可能にする、および暗い画素を生成するために、各要素の壁の周囲におけるクラスタ状の粒子の側面図を提供する。ＯＬＥＤディスプレイ７０６は、光を発しない不活性状態要素７０８、および光を放射する活性状態７１０の要素を含む。透明な層７１２は、この放射される光「Ｅ」が、視聴者１１２に向けて、異種ディスプレイを通って通過することを可能にする。ＥＰＤ反射型ディスプレイ７１４は、ＯＬＥＤディスプレイ７０６の上部にある。
【００４０】
図７Ａおよび７Ｂは、反射モード１０６で動作する要素、さらに放射モード１０８で動作する要素を示す。例えば、反射モード１０６において、暗い画素を生成するために、ＯＬＥＤディスプレイ要素は、非活性（「暗い」）状態７０８にされ、一方で、上部のＥＰＤ反射型ディスプレイ要素は、パススルー状態７１６に設定される。このため、入射光「Ａ」は、反射型ディスプレイ要素を通過し、吸収される。この非反射は、視聴者１１２には、暗い画素として見える。反射モード１０６で白いまたは暗くない画素を生成するには、ＥＰＤ反射型ディスプレイ要素を反射型状態７１８に設定することができ、こうして入射光が視聴者１１２の目に向けて反射される。反射状態７１８を実現するために、ＥＰＤ反射型ディスプレイ要素内の粒子を、ここに示されるように、明るい色彩の粒をディスプレイ要素の上部の層へ配置することにより、反射を最大限にするように構成することができる。
【００４１】
放射モード１０８が使用されている場合、活性ＯＬＥＤ要素７１０の上部のＥＰＤ要素は、放射される光が視聴者１１２に向かって抜けることを可能にするように、パススルー状態７１６を維持するように構成される。
【００４２】
別の実施形態では、ＯＬＥＤディスプレイ７０６を、ＥＰＤ７１４の少なくとも一部をバックライトで照らすように使用することができる。この場合、反射型状態７１８であるＥＰＤ要素は、画素について全体的に「より明るい」またはより高い照明値を生じさせるために、下層のＯＬＥＤ要素（これも活性状態である）を使用することもできる。ＯＬＥＤおよびＥＰＤの文脈で記載されているが、これらのバックライト照明技術を、一連の他の放射型および反射型ディスプレイタイプで使用することもできる。
【００４３】
図８Ａおよび８Ｂは、反射型電気泳動（ＥＰＤ）ディスプレイ上に透明な放射型有機発光ダイオード（ＯＬＥＤ）ディスプレイを含む融合されたディスプレイを示す概略図８００である。図８Ａは、ディスプレイ要素内のＥＰＤ粒子の構成を示す上面図８０２を示す。図８Ｂは、この実施形態では、動画再生のために最適化されたデバイスでみられるような、放射型ＯＬＥＤ７０６がＥＰＤ反射型ディスプレイ７１４の上部に配置される様子を示す、ライン「Ｃ」に沿った断面図８０４を示す。この実施形態のＯＬＥＤ７０６は、入射光がＥＰＤ反射型ディスプレイ７１４の要素に達することを可能にするように、透明または半透明になっている。いくつかの実施形態では、活性ＯＬＥＤ要素７１０の後面のＥＰＤ反射型ディスプレイ要素を、放射効率を上げるために、光を反射させるように構成することができる。
動作のプロセス
【００４４】
図９は、図１、２Ａ、２Ｂ、４、７Ａ、および７Ｂに示されるアーキテクチャを使用して実施することができるが、これが必須ではない、動作中の、放射型ディスプレイの上に反射型が融合された、例示的なプロセスの流れ図である。プロセス９００は、ハードウェア、ソフトウェア、またはその組み合わせで実施可能な動作シーケンスを表す、論理的な流れグラフのブロック集合として記載されている。ソフトウェアの文脈において、ブロックは、１つ以上のプロセッサによって実行される場合に、列挙された動作を実行する、コンピュータで実行可能な命令を表す。概して、コンピュータで実行可能な命令は、特定の機能を実行するまたは特定の抽象的なデータタイプを実施するルーチン、プログラム、オブジェクト、コンポーネント、データ構造等を含む。動作が記述される順番は、制限を目的とするものではなく、いずれかの数の記述されたブロックは、プロセスの実施のために、いずれかの順番でおよび／または並列に組み合わせることができる。説明のために、プロセスは、図１、２Ａ、２Ｂ、４、７Ａ、および７Ｂのアーキテクチャの文脈において記載される。
【００４５】
９０２において、反射型ディスプレイモードで動作する融合されたディスプレイは、反射型ディスプレイの反射型ディスプレイ要素から反射する光によって、コンテンツをレンダリングする。例えば、視聴者１１２は、デバイス１０２上のｅブックのテキストを読んでいてもよい。反射型ディスプレイドライバモジュール（例えばモジュール４０４）は、反射型ディスプレイ要素を制御することができる。
【００４６】
９０４において、融合されたディスプレイ制御モジュール４０６は、放射型ディスプレイモードでコンテンツをレンダリングするように、リクエストを受信する。例えば、ｅブックは、視聴者に対して再生することができる動画クリップを含むことがある。動画クリップは反射型ディスプレイが効率的に再現するには高速すぎるフルモーションの動画を含むため、いくつかの例では、放射型ディスプレイを選択することができる。
【００４７】
９０６において、融合されたディスプレイ制御モジュール４０６は、放射型ディスプレイの融合されたディスプレイの一部を指定する。例えば、図１の破線によって示される領域は、動画クリップを示す画像を包囲する。この指定を、融合されたディスプレイ制御モジュール４０６によって行うことができる。
【００４８】
９０８において、放射型ディスプレイドライバモジュールは、放射型ディスプレイから放射される光が視聴者１１２へ達することを可能にするように、パススルー状態へ、融合されたディスプレイの指定された一部における反射要素を移行させる。この移行は、融合されたディスプレイ制御モジュール４０６の制御により、反射型ディスプレイドライバモジュール４０４の方向であってもよい。
【００４９】
９１０において、コンテンツは、放射型ディスプレイドライバモジュール４０２の制御によって、活性放射要素から光を放射することにより、指定された一部にレンダリングされる。放射される光は、反射型ディスプレイ要素を通過し、視聴者１１２の目に達する。この例では、視聴者１１２は、反射型ディスプレイを通って、放射型ディスプレイによってレンダリングされる動画クリップを見る。
【００５０】
まとめ
主題は構造的特徴および／または方法論的行為について、言語により記載されているが、添付の請求項に定義されている主題は、記載されている特定の特徴、寸法、または行為に必ずしも制限されないことを理解されたい。むしろ、特定の特徴、寸法、および行為は、請求項を実施するための例示的な形態として開示されている。さらに、本明細書に記載されているデバイスのいずれの特徴も、種々の材料または同様の構成で実施することができる。
【００５１】
本出願において記載されるように、モジュールおよびエンジンを、ソフトウェア、ハードウェア、ファームウェア、またはこれらの組み合わせを用いて実装することができる。さらに、記載される行為および方法を、コンピュータ、プロセッサまたは他のコンピューティングデバイスによって、メモリ、１つ以上のコンピュータ可読格納媒体（ＣＲＳＭ）を含むメモリ上に格納される命令に基づいて実施することができる。
【００５２】
ＣＲＳＭは、その上に格納される命令を実施するように、コンピューティングデバイスによってアクセス可能ないずれかの利用可能な物理的な媒体にすることができる。ＣＲＳＭとしては、ランダムアクセスメモリ（ＲＡＭ）、読み込み専用メモリ（ＲＯＭ）、電子的消去可能プログラム可能読み込み専用メモリ（ＥＥＰＲＯＭ）、フラッシュメモリまたは他の固体メモリ技術、コンパクトディスク読み込み専用メモリ（ＣＤ−ＲＯＭ）、デジタル多様性ディスク（ＤＶＤ）または他の光ディスク格納、磁気カセット、磁気テープ、磁気ディスク格納または他の磁気格納デバイス、あるいは所望の情報を格納するために使用可能、かつコンピューティングデバイスによってアクセス可能ないずれかの他の媒体を挙げることができるが、これらに制限されない。
【００５３】
第１節。融合されたディスプレイデバイスは、
第１の制御モジュールによって駆動され、かつ、第１の種類のコンテンツをレンダリングし、パススルー状態を維持するように構成される電気泳動ディスプレイ（ＥＰＤ）と、
第２の異なる制御モジュールによって駆動され、かつ、ＥＰＤの後面に配置される放射型ディスプレイと、を含み、放射型ディスプレイは、第２の種類のコンテンツをレンダリングするために、パススルー状態でＥＰＤを通って光を放射させるように構成される。
【００５４】
第２節。第１節に記載の融合されたディスプレイデバイスであって、ＥＰＤは、ＥＰＤの全てまたは全て未満について、パススルー状態を維持するように構成される。
【００５５】
第３節。第１節に記載の融合されたディスプレイデバイスであって、第１の種類のコンテンツは、テキストを備え、第２の種類のコンテンツは、色彩画像または動画を含む。
【００５６】
第４節。第１節に記載の融合されたディスプレイデバイスであって、ＥＰＤは、単色の粒子を含む。
【００５７】
第５節。第１節に記載の融合されたディスプレイデバイスであって、ＥＰＤは、ＥＰＤディスプレイの要素の少なくとも１つの側へ粒子を構成することにより、パススルー状態に入るようにさらに構成される。
【００５８】
第６節。第１節に記載の融合されたディスプレイデバイスであって、放射型ディスプレイは、光の異なる色を生成するように構成される要素を含む。
【００５９】
第７節。融合されたディスプレイデバイスであって、
融合されたディスプレイデバイス上にコンテンツをレンダリングするように、第１の制御モジュールによって駆動される透明または半透明の発光ダイオード（ＬＥＤ）ディスプレイと、
ＬＥＤディスプレイの後面に配置され、かつ、融合されたディスプレイデバイス上に異なるコンテンツをレンダリングするように、第２の制御モジュールによって駆動される、電気泳動ディスプレイ（ＥＰＤ）と、を含む。
【００６０】
第８節。デバイスであって、
融合されたディスプレイ上にコンテンツをレンダリングするように構成される反射型ディスプレイを含む融合されたディスプレイと、融合されたディスプレイ上にコンテンツをレンダリングするように構成される放射型ディスプレイと、
融合されたディスプレイ上にそれぞれのコンテンツをレンダリングするように、反射型ディスプレイおよび放射型ディスプレイの両方を駆動するように構成される制御モジュールと、を含む。
【００６１】
第９節。第８節に記載のデバイスであって、反射型ディスプレイは、放射型ディスプレイ上に存在する。
【００６２】
第１０節。第８節に記載のデバイスであって、放射型ディスプレイは反射型ディスプレイ上に存在する。
【００６３】
第１１節。第１０節に記載のデバイスであって、放射型ディスプレイの少なくとも一部は透明または半透明である。
【００６４】
第１２節。デバイスであって、
互い違いに積層された反射型ディスプレイおよび放射型ディスプレイを含む融合されたディスプレイであって、反射型ディスプレイおよび放射型ディスプレイの両方は、融合されたディスプレイ上にコンテンツをレンダリングするように構成される。
【００６５】
第１３節。第１２節に記載のデバイスであって、融合されたディスプレイは、反射型ディスプレイ要素または放射型ディスプレイ要素によってコンテンツをレンダリングするように構成される。
【００６６】
第１４節。第１２節に記載のデバイスであって、放射型ディスプレイは、放射される光子を用いて画素を作成する。
【００６７】
第１５節。第１２節に記載のデバイスであって、反射型ディスプレイは、入射光子を用いて画素を作成する。
【００６８】
第１６節。第１２節に記載のデバイスであって、放射型ディスプレイは、融合されたディスプレイ上でコンテンツをレンダリングする場合に、反射型ディスプレイを通して光を放射する。
【００６９】
第１７節。第１２節に記載のデバイスであって、反射型ディスプレイは、融合されたディスプレイ上のコンテンツをレンダリングする場合に、放射型ディスプレイを通して光を反射する。
【００７０】
第１８節。第１２節に記載のデバイスであって、反射型ディスプレイは、電気泳動ディスプレイ（ＥＰＤ）、コレステリック液晶ディスプレイ、微小電気機械システム（ＭＥＭＳ）ディスプレイ、エレクトロウェッティングディスプレイ、または電気流体ディスプレイを備える。
【００７１】
第１９節。第１２節に記載のデバイスであって、反射型ディスプレイの要素は、パススルー状態の場合に、光に対して実質的に透明または半透明になるように構成される。
【００７２】
第２０節。第１９節に記載のデバイスであって、放射型ディスプレイは、パススルー状態である反射型ディスプレイの要素を通して光を放射することにより、コンテンツをレンダリングする。
【００７３】
第２１節。第１２節に記載のデバイスであって、放射型ディスプレイの要素は、不活性状態である場合に、光に対して実質的に透明または半透明になるように構成される。
【００７４】
第２２節。第２１節に記載のデバイスであって、反射型ディスプレイは、不活性状態の実質的に透明または半透明の放射型ディスプレイの要素を通って入射光を受け、受けた入射光を反射または吸収することにより、コンテンツをレンダリングする。
【００７５】
第２３節。第１２節に記載のデバイスであって、放射型ディスプレイは、発光ダイオード（ＬＥＤ）ディスプレイ、有機ＬＥＤ（ＯＬＥＤ）ディスプレイ、バックライト液晶ディスプレイ（ＬＣＤ）、プラズマディスプレイ、微小電気機械システム（ＭＥＭＳ）ディスプレイ、電子発光ディスプレイ、量子ドットディスプレイ、または電界放出ディスプレイを備える。
【００７６】
第２４節。第１２節に記載のデバイスであって、反射型ディスプレイおよび放射型ディスプレイの要素は、交互の格子板状に構成される。
【００７７】
第２５節。第１２節に記載のデバイスであって、反射型ディスプレイおよび放射型ディスプレイの要素は、互いに実質的に同一平面上である。
【００７８】
第２６節。第１２節に記載のデバイスであって、融合されたディスプレイは、反射型ディスプレイおよび放射型ディスプレイに加えて、少なくとも１つのディスプレイを備える。
【００７９】
第２７節。プロセッサによって実行されると、プロセッサに、
放射型ディスプレイによって提供される放射ディスプレイモードに入るように、融合されたディスプレイの少なくとも一部を指定することであって、融合されたディスプレイは、少なくとも反射ディスプレイと放射ディスプレイを含む、指定することと、
反射型ディスプレイによって提供される反射型ディスプレイモードに入るように、融合されたディスプレイの少なくとも一部を指定することと、を含む行為を実行させる命令を格納する、１つ以上のコンピュータ可読格納媒体。
【００８０】
第２８節。第２７節に記載の１つ以上のコンピュータ可読媒体であって、プロセッサによって実行されると、プロセッサに、放射型ディスプレイの放射要素から放射される光を通過させるように、反射型ディスプレイを構成することを含む行為を実行させる、コンピュータ実行可能な命令をさらに格納する。
【００８１】
第２９節。プロセッサによって実行されると、プロセッサに、
放射型ディスプレイの使用により、放射型ディスプレイおよび反射型ディスプレイを含む融合されたディスプレイデバイス上で第１のコンテンツ部分をレンダリングすることと、
反射型ディスプレイの使用により、融合されたディスプレイデバイス上の第２のコンテンツ部分をレンダリングすることを含む行為を実行させる、命令を格納する、１つ以上のコンピュータ可読格納媒体。
【００８２】
第３０節。第２９節に記載の１つ以上のコンピュータ可読媒体であって、第１のコンテンツ部分は、色彩画像または動画を含み、第２のコンテンツ部分は、テキストの一部を含む。
【００８３】
第３１節。第２９節に記載の１つ以上のコンピュータ可読媒体であって、反射型ディスプレイは、融合されたディスプレイデバイス内の放射型ディスプレイの上部に存在し、放射型ディスプレイの使用による第１のコンテンツ部分のレンダリングは、
反射型ディスプレイの少なくとも一部をパススルー状態にさせることと、第１のコンテンツ部分をレンダリングするために、パススルー状態の反射型ディスプレイの一部を通して、放射型ディスプレイから光を放射することと、を含む。
【００８４】
第３２節。第３１節に記載の方法であり、反射型ディスプレイは、ＥＰＤのそれぞれの要素内で粒子を移動させることにより、第２のコンテンツ部分をレンダリングする電気泳動ディスプレイ（ＥＰＤ）を含み、反射型ディスプレイの一部をパススルー状態へ入らせることは、その一部内のそれぞれの要素内の粒子を、要素の１つ以上の側へ移動させることを含む。
【図１】
2013502616.tif 000003
【図２Ａ】
2013502616.tif 000004
【図２Ｂ】
2013502616.tif 000005
【図３Ａ】
2013502616.tif 000006
【図３Ｂ】
2013502616.tif 000007
【図４】
2013502616.tif 000008
【図５Ａ】
2013502616.tif 000009
【図５Ｂ】
2013502616.tif 000010
【図６Ａ】
2013502616.tif 000011
【図６Ｂ】
2013502616.tif 000012
【図７Ａ】
2013502616.tif 000013
【図７Ｂ】
2013502616.tif 000014
【図８Ａ】
2013502616.tif 000015
【図８Ｂ】
2013502616.tif 000016
【図９】
2013502616.tif 000017
【国際調査報告】
2013502616.tif 000018
2013502616.tif 000019
2013502616.tif 000020